(57)【要約】　　　（修正有）【課題】睡眠中にズレ落ちたり、捲れたり、身体との密着度が低下したりしない羽毛ふとんを提供する。【解決手段】羽毛ふとんの機能的問題点をデザインされたキルトパターンによって、更にキルト縫製は立体的キルテイングである立マチキルト方法により、更にはキルトパターンの組合わせ及び充填する羽毛量を調節することにより解決する。即ち、羽毛ふとんの唾眠中のズレ落ちは半円型丸キルトで、捲くれによるズレ上りはヨコキルトで、身体との密着度低下はタテキルトにより更には各キルトの間隔及び充填羽毛量の調節により解決する。【選択図】図１
0003100382.tif 000002
【実用新案登録請求の範囲】
【請求項１】
　キルト羽毛ふとんのずり下がり防止キルトパターン及びキルト羽毛ふとんのめくりあがり防止キルトパターン及び人体とキルト羽毛ふとんの隙間を最小にするキルトパターンを組み合わせてキルテイングされたことを特徴とするキルト羽毛ふとん
【考案の詳細な説明】
【考案の詳細な説明】
【技術分野】
【０００１】　寝具である羽毛ふとんの側地（表布及び裏布）に行うキルテイング縫製に属する分野。
【背景技術】
【０００２】　従来、羽毛ふとんのキルテイングは、ふとん美観と保温性の向上をさせるのが目的であるため、キルトのパターンは独自の柄を作成し、商品価値の向上を目指し、その結果としてふとんの美観である価値と保温の向上に留まっている。多くのキルト羽毛ふとんがデザインされ各種のパターンを作成ているが、キルトのパターンの形態によってふとんのさまざまな機能に着目して、その改善、向上を目指す例は見られない。【０００３】　平成１５年０５月０２日発行分までの実用新案をキルト、羽毛、ふとんのキーワードで検索結果、２１件がピックアップされたが、検討の結果、本考案に該当する実用新案は見出されなかった。
【考案が解決しようとする課題】
【０００４】　掛けふとんの基本的な機能として▲１▼保温が良い▲２▼軽い▲３▼容易に寝返ることができる▲４▼身体に巻きつかない▲５▼睡眠中にズレない▲６▼身体に密着して隙間が少ない▲７▼めくれない、巻き上がらない等ふとんの形態が安定し、使い勝手が良く、安眠できることが挙げられる。▲１▼及び▲２▼に関しては側地及び中綿素材の要因が大きく、ふとん中綿として羽毛を用いることにより、かなり解決する。▲３▼以降の諸課題はふとん作成過程で技術的問題として取り上げ、解決すべきものである。本考案ではこれらの諸課題を解決すべく、請求項１に記載したごとく、キルトパターンの形態がふとんに対して作用する機能改善効果によっている。
【課題を解決する手段】
【０００５】　キルテイングはふとん側地の表布と裏布の間に羽毛を充填して縫製することであるが、キルトパターンによってさまざまな品質的影響を羽毛ふとんに与えることができる。本考案では請求項１に記載したごとく、ふとんのキルテイングする位置及びキルテイングの形態（パターン）及びそれらの組合わせにより、キルトふとんのずり下がり防止（半円型丸キルトパターン）、めくりあがり防止（ヨコキルト型）、身体との隙間の調整（タテキルト型）を可能にする。これらの考案は理論的な構築はなされていないが、多くのキルテイング経験から生み出されたものである。即ち、デザイン通りにキルテイングされた羽毛ふとんの臨床的実験により、その効果が立証されている。キルテイングは直縫いキルテイングではなく、巾４ｃｍのマチテープ（ポリエステルニット）を用いた立マチキルテイングによる縫製（縫代：表裏各１ｃｍ）方法を用いる（図２）。立マチキルトは直縫いより立体感、ボリューム感が出て保温性を向上させると共にキルテイングの効果即ちふとんの機能を顕著に向上させる効果が出る。更にキルトパターン効果はキルテイング間のキルト間隔またはサイズ及びキルト桝に充填する羽毛量も羽毛ふとん機能向上の要因である。
【考案を実施するための最良の形態】
【０００６】　図１は羽毛ふとんの機能的なキルトパターンの平面図である。ふとんサイズはタテ２２０ｃｍ×ヨコ１６０ｃｍ。キルトパターンは半円型キルト２、タテキルト３、ヨコキルト４の組合わせから出来ている。キルテイング縫製８の方法は巾４ｃｍマチテープ７使用し、上下に２ｃｍの縫代をとって２ｃｍ巾の立マチキルト（図２参照）を作成している。キルテイング運針数は１８目／吋。羽毛充填方法は側地キルテイング後にキルト各桝１へパイプにより２ケ所の投入口５を通して投入し、各キルトには各吹込み口６から充填する。各羽毛吹込み口（又は吹込み弁）６は図２に示されるごとく、マチテープ７を吹込み口６に当たる個所でだぶつかせ９、鋏によりだぶらした中央部をカットし６、カットされたマチテープ７の先端が重なりあい、弁の作用をする。即ち羽毛を吹込んだ後は羽毛がキルト桝１の内部から外部へ移行できないよう弁で塞がれるので吹込み口６をキルテイング縫製８で縫い閉じる必要はない。充填後各充填口をキルテイング縫製８により縫い閉じる。各キルト桝１は立マチキルテイングのマチテープ７のカットされた先端が吹込み口の弁の役割をして充填後の羽毛の移動を防止する。各キルト桝１への充填量はふとん機能が最大効果を発揮できるよう設計し、設定している。【０００７】　図１についてキルトパターンを説明する。先ず第一は半円型丸キルト２の機能である。図１の二つの間隔（１１ｃｍ）をあけた半円型丸キルト２（羽毛充填済み）が襟元からのふとんのずれ下がりを防ぐ。２本のキルト半円型が襟元上部から受けた動きを吸収し、下方（裾方向）への移動（ズレ）を制止する機能を発揮し、ふとん全体のズレを防ぐ。ベッドでの使用であれば頭部から足部へのズレを半円型丸キルトパターン２の羽毛ふとんが阻止し、ベッドからズレ落ちるのを防ぐ。第二はタテキルト３の機能である。タテキルト３は６本のキルトが２２ｃｍ間隔を空けてキルテイングされている。羽毛ふとんと身体間に空隙が人為的に出来た場合には例えば足部分を折り曲げて寝ている場合には身体とふとんの間隙は大きくなり、外気の浸入により保温性を低下させる可能性が大となるが、この部分に６本のタテキルト３がある場合には６本のタテキルト３部分が身体に近接する動きをして、間隙を狭めようとする作用をする。第三には羽毛ふとんの裾にある３本のヨコキルト４の機能である。羽毛フトンの下部が捲り上がろうとする場合に、この４本のヨコキルト４が捲りを元に戻そうとする作用が働き、巻き上がりを防ぐ。この三つのキルトの複合作用により羽毛ふとん全体が安定して、羽毛ふとんの機能を付与し、特性を発揮することができる。上述のごとくキルトパターンと共に各キルト桝１に充填される適正な羽毛量が各キルトの機能を更に向上させる。適正な羽毛量とは保温性、美観、キルト機能を最大限に発揮できる羽毛量といえる。図１の各キルト桝１に適正羽毛充填量が記載されている。タテキルト３及びヨコキルト４の各キルト桝１の充填量はキルト桝により充填量に差異があるのはそれぞれの機能を向上させるため経験的に設定されたものである。羽毛充填には投入口５と羽毛吹込み口６がある。投入口５は図示するごとく充填パイプが入るよう開口部があり、吹込み口６は立マ���キルトに用いられているマチテープ７の重なりによって弁の役割を果たす（第２図）。マチテープ７の左右先端が重なって、キルト桝１の外部からは羽毛が入るが、キルト桝１内部からは羽毛が外部に出ないように弁機能として作用する。羽毛充填後羽毛投入口５はキルテイング縫製８により縫い閉じられる。
【考案の効果】
【０００８】　羽毛ふとん側地を直縫いキルテイングではなく立マチキルテイングするに際し、キルトパターンを工夫することにより、更には羽毛充填量を調節することにより羽毛ふとんの機能即ち羽毛ふとんのズレ下がり防止、人体との間隙の縮少化、捲くり上り防止等が付加される。羽毛ふとんに本考案のキルトパターン機能が付加されることにより、睡眠中における羽毛フトンの安定性が向上し、羽毛フトンに求められる保温性、寝心地、取扱性が改善される。
【図面の簡単な説明】
【図１】羽毛ふとんの機能性キルトパターン平面図
【図２】立マチキルト縫製部分立体図
【符号の説明】
　１はキルト桝
　２は半円型丸キルトパターン
　３はタテキルトパターン
　４はヨコキルトパターン
　５は羽毛投入口
　６は羽毛吹込み口（又は吹込み弁）
　７はマチテープ
　８はキルテイング縫製
　９はマチテープカット前の状態（立マチキルト）
１０はマチテープカット後の状態（羽毛吹込み口６）
【図１】
0003100382.tif 000003
【図２】
0003100382.tif 000004
【手続補正書】
【提出日】平成15年9月29日(2003.9.29)
【手続補正１】
【補正対象書類名】実用新案登録請求の範囲
【補正対象項目名】全文
【補正方法】変更
【補正の内容】
【実用新案登録請求の範囲】
【請求項１】
　羽毛ふとんのキルテイングにおいて羽毛ふとん頭部に半円型キルトパターンを、羽毛ふとん足部にヨコキルトパターンを、羽毛羽ふとん中央部にタテキルトパターンをそれぞれ組合わせて、立体キルテイング（図１及び図２）することにより、羽毛ふとんの機能向上に寄与する要因である羽毛ふとん使用中のずり下がり抑制、巻き上がり抑制及び人体とふとんの隙間を最小にして保温を向上させる各機能を羽毛ふとんに付与することを特徴とするキルト羽毛ふとん